【事件の表示】
　特許第２７７１１３３号「片面段ボール製造装置」の特許に対する特許異議の申立てについて、次のとおり決定する。
【結論】
　訂正を認める。
　特許第２７７１１３３号の特許を維持する。
【理由】
１．手続の経緯
　特許第２７７１１３３号の請求項１に係る発明についての手続の経緯は、およそ次のとおりである。
（１）特許出願　平成７年８月２２日
（２）特許権の設定の登録　平成１０年４月１７日
（３）特許掲載公報の発行　平成１０年７月２日
（４）特許異議申立人花井恭子より特許異議の申立て　平成１１年１月４日
（５）特許の取消理由の通知　平成１１年５月１８日
（６）特許権者より明細書の訂正請求（指定期間内）　平成１１年７月１５日
（７）訂正拒絶理由の通知を兼ねる特許の取消理由の通知　平成１１年９月１４日
（８）特許権者より前記（６）の明細書の訂正請求の取下げ　平成１１年９月２９日
（９）特許権者より明細書の訂正請求（指定期間内）　平成１１年９月２９日
２．訂正の適否について
（１）平成１１年９月２９日付けでなされた前記の訂正請求は、次のア、イのとおり、明細書の記載を訂正することを求めるものである。
ア．訂正前の明細書の特許請求の範囲の請求項１の記載、すなわち、
「互いに噛合する上段ロールと下段ロールとを有し、この下段ロールの外側に、両段ロールにより成形した波板紙の段頂に対して糊液の塗着を行う糊付け装置と、糊液を塗着した段頂に対してライナー紙を供給するプレスロールとを設け、両段ロールによる成形部からプレスロールによる加圧部までの間では、下段ロール側の吸引装置の吸引力により波板紙を下段ロール側に吸着させる片面段ボール製造装置であって、前記吸引装置を、下段ロールの外周に形成した環状の吸引溝と、下段ロール内部の周方向の複数箇所においてロール軸心方向に沿って形成しかつそれぞれ吸引溝に連通した吸引路と、これら吸引路に接続した吸引駆動部とにより構成して、成形部から加圧部までの間は吸着ゾーンを形成し、下段ロールの上方に片面段ボールを案内するガイドロールを配設するとともに、加圧部からガイドロールに至る部分は、吸引路と吸引駆動部との間を閉塞したホールディングゾーンに形成し、このホールディングゾーンでは、ガイドロールによる案内と、吸引装置の吸引残圧とにより、そのライナー紙側が開放された片面段ボールを下段ロール側に圧接すべく構成したことを特徴とする片面段ボール製造装置。」
との記載を次の記載、すなわち、
「互いに噛合する上段ロールと下段ロールとを有し、この下段ロールの外側に、両段ロールにより成形した波板紙の段頂に対して糊液の塗着を行う糊付け装置と、糊液を塗着した段頂に対してライナー紙を供給するプレスロールとを設け、両段ロールによる成形部からプレスロールによる加圧部までの間では、下段ロール側の吸引装置の吸引力により波板紙を下段ロール側に吸着させる片面段ボール製造装置であって、前記吸引装置を、下段ロールの外周でロール軸心方向の複数箇所に形成した環状の吸引溝と、下段ロール内部の周方向の複数箇所においてロール軸心方向に沿って形成しかつそれぞれ吸引溝に連通した吸引路と、これら吸引路に接続した吸引駆動部とにより構成して、成形部から加圧部までの間は吸着ゾーンを形成し、下段ロールの上方に、片面段ボールを案内するガイドロールを下段ロールに対して接近離間自在に配設するとともに、加圧部からガイドロールに至る部分は、吸引路と吸引駆動部との間を閉塞したホールディングゾーンに形成し、このホールディングゾーンでは、ガイドロールによる案内と、吸引装置の吸引残圧とにより、そのライナー紙側が開放された片面段ボールを下段ロール側に圧接すべく構成したことを特徴とする片面段ボール製造装置。」
に訂正すること、つまり、訂正前の請求項１の記載における「下段ロールの外周に形成した環状の吸引溝」を「下段ロールの外周でロール軸心方向の複数箇所に形成した環状の吸引溝」と、同じく「下段ロールの上方に片面段ボールを案内するガイドロールを配設する」を「下段ロールの上方に、片面段ボールを案内するガイドロールを下段ロールに対して接近離間自在に配設する」と、それぞれ訂正すること。
イ．訂正前の明細書の発明の詳細な説明の段落【０００６】の記載中、「下段ロールの外周に形成した環状の吸引溝」を「下段ロールの外周でロール軸心方向の複数箇所に形成した環状の吸引溝」と、「下段ロールの上方に片面段ボールを案内するガイドロールを配設する」を「下段ロールの上方に、片面段ボールを案内するガイドロールを下段ロールに対して接近離間自在に配設する」と、それぞれ訂正すること。
（２）前記アの訂正は、訂正前の明細書の特許請求の範囲の請求項１に記載された事項である「下段ロールの外周に形成した環状の吸引溝」について、さらに、その外周における形成箇所を規定しようとするものであり、また、同じく「片面段ボールを案内するガイドロール」について、さらに、その配設状態をより詳しく規定しようとするものであるから、特許請求の範囲の減縮を目的とするものに該当する。
　前記イの訂正は、前記アの訂正に整合させて、対応する発明の詳細な説明の記載をも併せて訂正しようとするものであるから、明りょうでない記載の釈明を目的とするものに該当する。
（３）そして、環状の吸引溝が、下段ロールの外周でロール軸心方向の複数箇所に形成されていること及び片面段ボールを案内するガイドロールが、下段ロールの上方に、下段ロールに対して接近離間自在に配設されていることはそれぞれ、訂正前の明細書の発明の詳細な説明の特に段落【００１６】及び【００１８】の記載並びに図面の記載から直ちに導き出される事項であるから、前記ア、イの訂正は、願書に添付された明細書又は図面に記載された事項の範囲内においてされたものである。
（４）また、前記ア、イの訂正は、訂正前の明細書の特許請求の範囲の請求項１に記載された事項により特定される発明の具体的な目的の範囲を逸脱してその技術的事項を変更するもの等に該当しないから、実質上特許請求の範囲を拡張し又は変更するものではない。
（５）訂正後の請求項１に係る発明（以下「本件発明」という。）は、訂正明細書の特許請求の範囲の請求項１に記載された事項により特定されるとおりのものであるところ、当審でなされた前記１．（７）の通知における訂正拒絶理由及び特許の取消理由は、およそ次のとおりである。
「平成１１年７月１５日付けでなされた明細書の訂正請求は認められない。そして、明細書の発明の詳細な説明及び図面の記載によれば、下段ロールの外周に形成した環状の吸引溝は、下段ロールの外周でロール軸心方向の複数箇所に形成したものであり、また、片面段ボールを案内するガイドロールは、下段ロールの上方に、下段ロールに対して接近離間自在に配設するものであるとそれぞれ認められるところ、特許請求の範囲にはこの旨が規定されていないから、請求項１に係る発明は明確でない。よって、本件特許は、特許法第３６条第６項第２号の規定に違反してされたものである。」
　しかし、この特許の取消理由は、前記アのとおり明細書が訂正されたことにより解消した。よって、本件明細書の記載にもはや不備はなく、他に本件発明が特許出願の際独立して特許を受けることができないものであるとする理由もないから、本件発明は、特許出願の際独立して特許を受けることができるものである。
（６）以上のとおりであるから、前記ア、イの訂正は、特許法第１２０条の４第２項及び第３項において準用する同法第１２６条第２項ないし第４項の規定に適合するので、当該訂正を認める。
３．特許異議の申立てについて
（１）特許異議の申立ての理由の概要
　特許異議申立人花井恭子は、甲第１号証（国際公開第９５／０３１６６号パンフレット）及び甲第２号証（特開昭５５−８４６５０）を提出し、「本件特許の請求項１に係る発明は、甲第１号証及び甲第２号証に係る各刊行物に記載された発明に基づいて出願前に当業者が容易に発明をすることができたものであって、特許法第２９条第２項の規定により特許を受けることができないものであるから、本件特許は取り消されるべきものである。」と主張している。
（２）特許異議の申立ての理由についての判断
　甲第１号証の記載を図面を参照しながら総合すると、同号証には、
「互いに噛合する第１波形シリンダ１２と第２波形シリンダ１３とを有し、この第２波形シリンダの外側に、両波形シリンダにより成形した波板紙の段頂に対して糊液の塗着を行う糊付け装置１９と、糊液を塗着した段頂に対してライナー紙２４を供給する平滑プレスシリンダ（ｌｅ　ｃｙｌｉ
ｐｒｅｓｓｅ　ｌｉｓｓｅ）１８とを設け、両波形シリンダによる成形部から平滑プレスシリンダによる加圧部２９までの間では、第２波形シリンダ側の吸引装置の吸引力により波板紙を第２波形シリンダ側に吸着させる片面段ボール製造装置であって、前記吸引装置を、第２波形シリンダの外周に形成した複数の吸引孔（ｌｅｓ　ｔｒｏｕｓ）と、第２波形シリンダ内部の周方向の複数箇所においてロール軸心方向に沿って形成しかつそれぞれ吸引孔に連通した吸引路（ｌｅｓ　ｃａｎａｕｘ）１７と、これら吸引路に接続した吸引駆動部１６とにより構成して、成形部から加圧部までの間は吸着ゾーンを形成し、第２波形シリンダの上方に、加熱回転平滑シリンダ（ｌｅ　ｃｙｌｉｎｄｒｅ　ｃｈａｕｆｆａｎｔ，ｒｏｔａｔｉｆ，ｌｉｓｓｅ）２６を配設するとともに、加圧部から加熱回転平滑シリンダに至る、圧接角度αで規定される一定の円弧部分では、加熱回転平滑シリンダにより、そのライナー紙側が開放された片面段ボール２３を第２波形シリンダ側に圧接すべく構成した片面段ボール製造装置。」
が記載されていると認められる。ここで、第１波形シリンダ、第２波形シリンダ、平滑プレスシリンダがそれぞれ、本件発明にいう上段ロール、下段ロール、プレスロールに相当することは明らかである。
　甲第２号証の記載を図面を参照しながら総合すると、同号証には、片面段ボール製造装置において、
「下部段ロール側の吸引装置を、下部段ロール２の外周でロール軸心方向の複数箇所に形成した環状の吸引溝７と、下部段ロール内部の周方向の複数箇所においてロール軸心方向に沿って形成しかつそれぞれ吸引溝に連通した吸引路（吸引マニホルド）８と、これら吸引路に接続した吸引駆動部（吸引源。図示せず）とにより構成すること」、
「上部段ロール１と下部段ロール２とによる成形部からプレスロール３による加圧部までの間は、円弧状凹部１０においてのみ吸引パイプ１１と連通した不動のシール部材９により負圧とした吸着ゾーンを形成すること」、
「反対側の加圧部から成形部までの間では、閉塞した不動のシール部材９とロールカバー１２とを併用して負圧を保持すること」
がそれぞれ記載されていると認められる。
　しかし、甲第１号証及び甲第２号証には、本件発明を特定する「下段ロールの上方に、片面段ボールを案内するガイドロールを下段ロールに対して接近離間自在に配設するとともに、加圧部からガイドロールに至る部分は、吸引路と吸引駆動部との間を閉塞したホールディングゾーンに形成し、このホールディングゾーンでは、ガイドロールによる案内と、吸引装置の吸引残圧とにより、そのライナー紙側が開放された片面段ボールを下段ロール側に圧接すべく構成した」との事項が記載されていない。また、この事項は、両号証の記載から当業者が容易に想到することもできない。
　そして、本件発明は、当該事項を備えることにより、もともと遊転自在であるガイドロールが、波板紙とライナー紙との貼合状態に応じて、下段ロールの上方において下段ロールに対して自在に接近ないし離間され、加圧部からガイドロールに至る部分に形成されるホールディングゾーンにおいて、吸引装置の吸引残圧と相俟って、ライナー紙側が開放された片面段ボールを下段ロール側に適切に圧接し、もって波板紙とライナー紙との結合が強固でかつライナー紙表面のプレスマークの発生が極減化された片面段ボールを製造することができるという顕著な作用効果を奏するものであると認められる。
　したがって、本件発明は、甲第１号証及び甲第２号証に記載された発明に基づいて出願前に当業者が容易に発明をすることができたものであるとは言えない。
　してみると、本件発明は、特許法第２９条第２項の規定により特許を受けることができない発明には該当しないから、前記特許異議の申立ての理由により、本件特許は取り消されるべきものであるとする特許異議申立人の主張は失当である。
４．むすび
　以上のとおりであるから、特許異議の申立ての理由及び証拠によっては、本件特許を取り消すことはできない。
　また、他に本件特許を取り消すべき理由を発見しない。
　よって、結論のとおり決定する。
【異議決定日】
平成１１年１０月２７日（１９９９．１０．２７）
【訂正の要旨】
訂正の要旨
特許第２７７１１３３号発明の明細書について、次のとおり訂正する。
（１）特許請求の範囲の減縮を目的として、特許請求の範囲の請求項１の記載を、「互いに噛合する上段ロールと下段ロールとを有し、この下段ロールの外側に、両段ロールにより成形した波板紙の段頂に対して糊液の塗着を行う糊付け装置と、糊液を塗着した段頂に対してライナー紙を供給するプレスロールとを設け、両段ロールによる成形部からプレスロールによる加圧部までの間では、下段ロール側の吸引装置の吸引力により波板紙を下段ロール側に吸着させる片面段ボール製造装置であって、前記吸引装置を、下段ロールの外周でロール軸心方向の複数箇所に形成した環状の吸引溝と、下段ロール内部の周方向の複数箇所においてロール軸心方向に沿って形成しかつそれぞれ吸引溝に連通した吸引路と、これら吸引路に接続した吸引駆動部とにより構成して、成形部から加圧部までの間は吸着ゾーンを形成し、下段ロールの上方に、片面段ボールを案内するガイドロールを下段ロールに対して接近離間自在に配設するとともに、加圧部からガイドロールに至る部分は、吸引路と吸引駆動部との間を閉塞したホールディングゾーンに形成し、このホールディングゾーンでは、ガイドロールによる案内と、吸引装置の吸引残圧とにより、そのライナー紙側が開放された片面段ボールを下段ロール側に圧接すべく構成したことを特徴とする片面段ボール製造装置。」と訂正する。
（２）明りょうでない記載の釈明を目的として、発明の詳細な説明の段落【０００６】の記載中、「下段ロールの外周に形成した環状の吸引溝］を「下段ロールの外周でロール軸心方向の複数箇所に形成した環状の吸引溝」と、「下段ロールの上方に片面段ボールを案内するガイドロールを配設する」を「下段ロールの上方に、片面段ボールを案内するガイドロールを下段ロールに対して接近離間自在に配設する」とそれぞれ訂正する。
（５４）【発明の名称】
片面段ボール製造装置
（５７）【特許請求の範囲】
　　【請求項１】互いに噛合する上段ロールと下段ロールとを有し、この下段ロールの外側に、両段ロールにより成形した波板紙の段頂に対して糊液の塗着を行う糊付け装置と、糊液を塗着した段頂に対してライナー紙を供給するプレスロールとを設け、両段ロールによる成形部からプレスロールによる加圧部までの間では、下段ロール側の吸引装置の吸引力により波板紙を下段ロール側に吸着させる片面段ボール製造装置であって、前記吸引装置を、下段ロールの外周
でロール軸心方向の複数箇所
、
下段ロールに対して接近離間自在に
【発明の詳細な説明】
　【０００１】
　　【発明の属する技術分野】
　本発明は、吸着形式の下段ロールを使用して片面段ボールの製造を行う片面ダンボール製造装置に関するものである。
　【０００２】
　　【従来の技術】
　従来、この種の片面ダンボール製造装置としては、たとえば図４に示す構成が提供されている。すなわち成形部Ｓに達した中芯原紙４０を、上段ロール４１と下段ロール４２との噛合面４３，４４どうし噛合により波板紙４０Ａに成形する。この成形した波板紙４０Ａを下段ロール４２とともに糊付け装置４５へと移動し、糊付けロール４６を介して段頂４０ａに糊液４７を塗着させる。そして波板紙４０Ａが加圧部Ｔに達したときに、プレスロール４８を介してライナー紙４９を、段頂４０ａに当接するように供給している。
　【０００３】
　その際に、成形部Ｓから加圧部Ｔへ移動される波板紙４０Ａは、吸引溝５０に作用する吸引力により下段ロール４２の噛合面４４に吸着（密着）されて移動し、以て成形部Ｓから加圧部Ｔへの吸着ゾーンＵにおいて噛合面４４から浮き上がることもなく、かつ下段ロール４２側の熱により加熱される。そして、加圧部Ｔにおいて波板紙４０Ａの段頂４０ａにライナー紙４９を供給することで片面段ボール５１の形態になり、この片面段ボール５１はガイドロール５２によりテークアップに繰り出される。
　【０００４】
　　【発明が解決しようとする課題】
　上記した従来の片面ダンボール製造装置によると、波板紙４０Ａとライナー紙４９との貼合（結合）は、プレスロール４８による加圧ならびに加熱により糊液４７をゲル化させて行うのであり、その際に、プレスロール４８による加圧力（プレス力）は高圧であることから、このプレスロール４８の加圧力によるプレスマークが発生することになり、片面ダンボール５１の製品価値の低下を招くことになる。
　【０００５】
　そこで本発明のうち請求項１記載の発明は、プレスロールによる加圧力（プレス力）を低圧としてプレスマークの発生を極減し得る片面段ボール製造装置を提供することを目的としたものである。
　【０００６】
　　【課題を解決するための手段】
　前述した目的を達成するために、本発明のうちで請求項１記載の片面段ボール製造装置は、互いに噛合する上段ロールと下段ロールとを有し、この下段ロールの外側に、両段ロールにより成形した波板紙の段頂に対して糊液の塗着を行う糊付け装置と、糊液を塗着した段頂に対してライナー紙を供給するプレスロールとを設け、両段ロールによる成形部からプレスロールによる加圧部までの間では、下段ロール側の吸引装置の吸引力により波板紙を下段ロール側に吸着させる片面段ボール製造装置であって、前記吸引装置を、下段ロールの外周
でロール軸心方向の複数箇所
、
下段ロールに対して接近離間自在に
　【０００７】
　したがって請求項１の発明によると、運転（操業）するにあたり、まず上段ロール、下段ロール、プレスロールを蒸気供給により加熱し、さらに波板紙の段頂に糊付けロールが当接すべく糊付け装置を配置させる。そして吸引装置を作動させ、成形部から加圧部までの間で吸引力を作用させる。
　【０００８】
　この状態で運転させると、まず成形部に達した中芯原紙を、上段ロールと下段ロールとにより波板紙に成形し得、次いで波板紙を下段ロールとともに糊付け装置へ移動して、その段頂に糊液を塗着させる。そして波板紙が加圧部に達したときに、プレスロールを介してライナー紙を、段頂に当接するように供給し得る。その際に、成形部から加圧部へ移動する波板紙は、ここが吸着ゾーンであることから下段ロールに吸着（密着）させて移動し得、以て浮き上がることもなく、かつ下段ロール側の熱により十分に加熱し得る。
　【０００９】
　このように、加圧部において波板紙の段頂にライナー紙を供給することで片面段ボールの形態になり、この片面段ボールをガイドロールヘと移動させる。その際にガイドロールは、片面段ボールを下段ロールに押し付ける位置にあり、さらに下段ロール側には吸引残圧があることから、ホールディングゾーンでは、ライナー紙側が開放された片面段ボールを、その波板紙を介して下段ロール側に吸着させて移動し得ることになり、以て浮き上がることもなく、かつ下段ロール側の熱により糊液を十分に加熱してゲル化し得る。
　【００１０】
　これにより波板紙とライナー紙との貼合（結合）を、ガイドロールの位置までの加熱作用が加わることによる糊液のゲル化の促進によって、プレスロールによる加圧力（プレスカ）が低圧であったとしても十分に強固に行え、したがってプレスロールの加圧力によるプレスマークの発生を極減し得る。さらに波板紙が下段ロールから外れる箇所においては、強固な片面段ボールを製造し得ることになり、そしてガイドロールによりテークアップに繰り出し得る。
　【００１１】
　　【発明の実施の形態】
　以下に本発明の実施の形態を図１〜図３に基づいて説明する。
　１０は上段ロール、２０は下段ロールで、両段ロール１０，２０の噛合によって中芯原紙１が波板紙１Ａに成形される。ここで上段ロール１０は蒸気加熱式であって、鉄など金属製からなる本体１１は内部が中空であり、そして中空内部１２に対して、本体１１と一体の一端軸部を通して蒸気供給管（図示せず。）が接続されている。また本体１１と一体の他端軸部は回転駆動装置（図示せず。）に連動されている。なお本体１１の外周には、噛合面１３が形成されている。
　【００１２】
　前記下段ロール２０は蒸気加熱式であって、鉄など金属製からなる本体２１は内部が中空であり、そして中空内部２２に対して、本体２１と一体の一端軸部２３を通して蒸気供給管２４が接続されている。また本体２１と一体の他端軸部は回転駆動装置（図示せず。）に連動されている。さらに本体２１の外周には噛合面２５が形成されている。したがって両段ロール１０，２０は、噛合面１３，２５の噛合によって、中芯原紙１を波板紙１Ａに成形させることになる。
　【００１３】
　前記下段ロール２０の一方外側（下部近く）で波板紙１Ａが移行する部分に対向して、前記波板紙１Ａの段頂１ａに糊液５を塗着させるための糊付け装置６が設けられる。この糊付け装置６は、糊液５を溜める糊溜めパット７と、糊付けロール８と、糊切りロール９などから構成される。
　【００１４】
　前記下段ロール２０の他方外側（下部近く）で波板紙１Ａが移行する部分に対向して、糊液５を塗着した段頂１ａに対してライナー紙２を供給する蒸気加熱式のプレスロール２８が設けられる。なおプレスロール２８は、別な回転駆動装置により両段ロール１０，２０側に同調駆動すべく構成されているが、これは非駆動の遊転形式であってもよい。
　【００１５】
　両段ロール１０，２０による成形部Ａからプレスロール２８による加圧部Ｂまでの間は、下段ロール２０側に設けられた吸引装置３０の吸引力により、波板紙１Ａを下段ロール２０側に吸着させる吸着ゾーンＣに構成されている。
　【００１６】
　すなわち下段ロール２０の外周でロール軸心方向の複数箇所には、環状の吸引溝３１が形成されている。そして本体２１の内部でかつ中空内部２２の外側の位置には、ロール軸心方向に沿った吸引路３２が、横貫通孔形式で周方向の複数箇所に形成されている。さらに各吸引路３２は、それぞれ吸引孔３３を介して前記吸引溝３１に連通されている。前記本体２１の両端面には、内部シールプレート３４が当接され、そして内部シールプレート３４の外側には、環状の吸引ダクト３５が配設されるとともに、これら吸引ダクト３５には、吸引駆動部（図示せず。）への吸引管（ホース）３６が接続されている。なお吸引管３６の部分には調節バルブ３７が介在されている。
　【００１７】
　前記内部シールプレート３４は、吸引ダクト３５と一体状で固定化され、したがって内部シールプレート３４に対して、回転される本体２１は摺接自在に構成される。そして内部シールプレート３４には、前記両段ロール１０，２０による成形部Ａからプレスロール２８による加圧部Ｂまでの吸着ゾーンＣにおいて、吸引ダクト３５と各吸引路３２とを連通させる連通部３８が、円弧長孔状や貫通孔状に形成されている。以上の３１〜３８などにより吸引装置３０が構成される。
　【００１８】
　前記下段ロール２０の上方には、ライナー紙２の外面を案内するガイドロール２９が遊転自在にかつ下段ロール２０に対して接近離間（昇降）自在に配設されている。そして、このガイドロール２９による案内と、吸引装置３０の吸引残圧とにより、プレスロール２８からガイドロール２９に至る部分で片面段ボール３を下段ロール２０側に圧接させるホールディングゾーンＤが構成されている。
　【００１９】
　そのために前記ガイドロール２９は、前記上段ロール１０に対向されかつ下段ロール２０に接近された位置に配設されている。そして前記上段ロール１０とガイドロール２９との間において、各吸引溝３１に嵌合して摺接される複数の外部シールプレート２６が配設されている。これら外部シールプレート２６は、三角板状であって、その外部頂角の部分が、左右方向軸２７に支持されて揺動自在に構成されている。
　【００２０】
　次に、上記した実施の形態における作用を説明する。
　運転（操業）するにあたり、まず各ロール１０，２０，２８が蒸気供給により加熱され、さらに波板紙１Ａの段頂１ａに糊付けロール８が当接すべく糊付け装置６が配置される。そして吸引装置３０を作動させると、吸引ホース３６に作用する吸引力が、吸引ダクト３５、連通部３８を介して吸着ゾーンＣに位置された吸引路３２に作用され、さらに各吸引孔３３を介して吸引溝３１に作用される。
　【００２１】
　この状態で片面段ボール製造装置を運転させると、まず成形部Ａに達した中芯原紙１が、上段ロール１０と下段ロール２０との噛合面１３，２５どうし噛合により波板紙１Ａに成形される。そして成形された波板紙１Ａは下段ロール２０とともに移動して糊付け装置６へと達し、糊付けロール８を介して段頂１ａに糊液５が塗着される。そして波板紙１Ａが加圧部Ｂに達したときに、プレスロール２８を介してライナー紙２が、段頂１ａに当接するように供給される。
　【００２２】
　その際に、成形部Ａから加圧部Ｂへ移動される波板紙１Ａは、ここが吸着ゾーンＣであることから、吸引溝３１に作用される吸引力により下段ロール２０の噛合面２５に吸着（密着）されて移動され、以て噛合面２５から浮き上がることもなく、かつ下段ロール２０側の熱により十分に加熱される。
　【００２３】
　前述したように、加圧部Ｂにおいて波板紙１Ａの段頂１ａにライナー紙２が供給されることで片面段ボール３の形態になり、この片面段ボール３はガイドロール２９へと移動される。その際にガイドロール２９は、片面段ボール３を下段ロール２０に押し付ける位置に配設されており、さらに内部シールプレート３４により両端が閉塞された吸引路３２内には吸引残圧があることから、ホールディングゾーンＤにおいて片面段ボール３は、その波板紙１Ａを介して噛合面２５に吸着されて移動されることになり、以て噛合面２５から浮き上がることもなく、かつ下段ロール２０側の熱により糊液５を十分に加熱してゲル化し得る。
　【００２４】
　これにより波板紙１Ａとライナー紙２とは、ホールディングゾーンＤでの加熱作用が加わることによる糊液５のゲル化の促進によって、強固に一体化され、したがってガイドロール２９の少し手前で、波板紙１Ａが下段ロール２０から外れる箇所においては、強固な片面段ボール３が製造されることになり、そしてガイドロール２９によりテークアップに繰り出し得る。
　【００２５】
　なお、波板紙１Ａが下段ロール２０から外れる箇所と成形部Ａの箇所までにおける吸引溝３１の部分、すなわち両ゾーンＣ，Ｄに含まれない吸引溝３１の部分は開放されるが、このとき、両部分は外部シールプレート２６により閉塞された状態にあることから、外気が吸引溝３１に多く取り入れられることはなく、したがって両ゾーンＣ，Ｄの所期の吸引力は維持される。そして外部シールプレート２６は、吸引溝３１の清掃も行う。
　【００２６】
　上述したようにして片面段ボール３の製造を行えるのであるが、ホールディングゾーンＤでの加熱作用が加わることによる糊液５のゲル化の促進によって、プレスロール２８による加圧力（プレス力）が低圧であったとしても、波板紙１Ａとライナー紙２との貼合（結合）は十分に強固に行え、したがってプレスロール２８の加圧力によるプレスマークの発生を極減し得る。
　【００２７】
　なお、波板紙１Ａとライナー紙２との貼合状態により、ガイドロール２９の上下位置の調節（接近離間動）と、調節バルブ３７の操作による吸引残圧の調節との、少なくとも一方が行われる。
　【００２８】
　　【発明の効果】
　上記した本発明の請求項１によると、成形部から加圧部へ移動する波板紙を下段ロールに吸着（密着）させて移動でき、以て浮き上がることもなく、かつ下段ロール側の熱により十分に加熱できる。そして加圧部において波板紙の段頂にライナー紙を供給することで製造した片面段ボールを、ガイドロールにより下段ロールに押し付けることができるとともに、下段ロール側には吸引残圧があることから、このライナー紙側が開放された片面段ボールを、下段ロール側に吸着させて移動できることになり、以て浮き上がることもなく、かつ下段ロール側の熱により糊液を十分に加熱してゲル化できる。
　【００２９】
　したがって波板紙とライナー紙との貼合（結合）を、ガイドロールの位置までの加熱作用が加わることによる糊液のゲル化の促進によって、プレスロールによる加圧力（プレス力）が低圧であったとしても十分に強固に行うことができて、プレスロールの加圧力によるプレスマークの発生を極減できる。
【図面の簡単な説明】
　　【図１】
　本発明の実施の形態の一例を示し、片面段ボール製造装置の一部切り欠き側面図である。
　　【図２】
　同片面段ボール製造装置における下段ロール部分の一部切り欠き正面図である。
　　【図３】
　同片面段ボール製造装置における下段ロールの要部の縦断正面図である。
　　【図４】
　従来例を示し、片面段ボール製造装置の一部切り欠き側面図である。
　【符号の説明】
１　　　中芯原紙
１Ａ　　波板紙
１ａ　　段頂
２　　　ライナー紙
３　　　片面段ボール
５　　　糊液
６　　　糊付け装置
８　　　糊付けロール
１０　　上段ロール
１３　　噛合面
２０　　下段ロール
２５　　噛合面
２６　　外部シールプレート
２８　　プレスロール
２９　　ガイドロール
３０　　吸引装置
３１　　吸引溝
３２　　吸引路
３４　　内部シールプレート
３８　　連通部
Ａ　　　成形部
Ｂ　　　加圧部
Ｃ　　　吸着ゾーン
Ｄ　　　ホールディングゾーン